【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
デジタル放送波を受信して映像信号及び音声信号に変換するデジタル放送受信ユニットと、
デジタル放送の受信チャンネルの切替のために操作される操作部と、
前記チャンネル切替時の時刻情報を取得する時刻情報取得手段と、
視聴履歴を一時蓄積する一時蓄積メモリと、
視聴履歴を恒久的に保持可能な不揮発メモリと、
前記一時蓄積メモリを用いて、一定の時間で区切られた時間枠毎に視聴履歴を管理し、さらに、前記不揮発メモリに、前記時間枠内においてユーザーが視聴したチャンネルと、当該チャンネルの視聴時間の当該時間枠内における累積とを含む視聴履歴情報を蓄積する制御を行う制御部と
を備え、
前記制御部が各曜日の各時間枠について、ユーザーが視聴したチャンネルと、当該チャンネルの視聴時間の当該時間枠内における累積とを含む視聴履歴情報を、複数週分に亘って蓄積し、
前記一時蓄積メモリ及び前記不揮発メモリの少なくとも何れか一方は、サービスを識別するためのサービスＩＤ、国を識別するためのオリジナルネットワークＩＤ、ストリームを識別するためのトランスポートストリームＩＤ、受信周波数を識別するための物理チャンネル、並びに、前記サービスＩＤ、前記オリジナルネットワークＩＤ、前記トランスポートストリームＩＤ、及び前記物理チャンネルに対応付けられた論理チャンネルを含むチャンネルリストを記憶する
ことを特徴とする視聴履歴蓄積装置。
【請求項２】
前記チャンネルリストは、サービスの種類を決定するためのサービスタイプをさらに含み、
前記チャンネルリストは、前記サービスタイプ別に区分されており、区分された前記チャンネルリストのそれぞれに前記論理チャンネルが割り当てられている
ことを特徴とする請求項１に記載の視聴履歴蓄積装置。
【請求項３】
前記制御部は、前記操作部の操作によってチャンネル切替のために入力された情報から、前記チャンネルリストに含まれる情報を用いて、前記デジタル放送受信ユニットで受信するデジタル放送でのサービスを一意に確定することを特徴とする請求項１または２に記載の視聴履歴蓄積装置。
【請求項４】
前記制御部は、前記時間枠をさらに分割した時間間隔を単位として時間計測を行い、同一のチャンネルについての視聴時間の累積を前記不揮発メモリに蓄積することを特徴とする請求項１から３までのいずれか１項に記載の視聴履歴蓄積装置。
【請求項５】
前記不揮発メモリには、前記論理チャンネルと、前記論理チャンネル毎の視聴時間の累積とを含む、複数週分の視聴履歴情報が保持されることを特徴とする請求項１から４までのいずれか１項に記載の視聴履歴蓄積装置。
【請求項６】
前記制御部は、前記不揮発メモリに、前記論理チャンネルと視聴時間の累積とを含む最新の視聴履歴情報を書き込む際には、既に蓄積されている視聴履歴情報をシフトさせた上で前記最新の視聴履歴情報を書き込み、また、既に蓄積されている最も古い視聴履歴情報について、所定の期間が経過していれば消去することを特徴とする請求項５に記載の視聴履歴蓄積装置。
【請求項７】
前記時刻情報取得手段は、前記時間枠の区切り毎に時刻通知を出力し、
前記制御部は、前記時刻通知が出力される毎に、前記不揮発メモリへの視聴履歴情報の書き込みを行うことを特徴とする請求項１から６までのいずれか１項に記載の視聴履歴蓄積装置。
【請求項８】
前記制御部は、前記不揮発メモリに、さらに、前記時間枠内でユーザーが視聴した番組に関する番組情報と、当該番組の視聴時間の当該時間枠内における累積とを蓄積する
ことを特徴とする請求項１から７までのいずれか１項に記載の視聴履歴蓄積装置。
【請求項９】
前記制御部は、前記時間枠をさらに分割した時間間隔を単位として時間計測を行い、同種の番組情報に対応する視聴時間の累積を前記不揮発メモリに蓄積することを特徴とする請求項８に記載の視聴履歴蓄積装置。
【請求項１０】
前記番組情報として番組のジャンル情報を使用することを特徴とする請求項９に記載の視聴履歴蓄積装置。
【請求項１１】
アナログ放送波を受信して映像及び音声に変換するアナログ放送受信ユニット、及び、外部入力を受信して映像及び音声に変換する外部入力受信ユニットの少なくとも一方と、
アナログ放送及び外部入力の少なくとも一方とデジタル放送のうち、いずれを選択するかを切り替える切り替え部と
をさらに備え、
前記制御部は、前記切り替え部によりデジタル放送が選択されていないときには、前記不揮発メモリへの視聴履歴情報の蓄積を停止し、前記切り替え部によりデジタル放送が選択されたときに、前記不揮発メモリへの視聴履歴情報の蓄積を開始する
ことを特徴とする請求項１から１０までのいずれか１項に記載の視聴履歴蓄積装置。
【請求項１２】
前記制御部は、前記チャンネルリストに登録された前記論理チャンネルに対応する前記ネットワークＩＤ、前記サービスＩＤ、前記オリジナルネットワークＩＤ、前記トランスポートストリームＩＤ、前記物理チャンネル、前記サービスタイプのうち、受信不可能となっているサービスについて、受信不可能であることを示すＩＤに論理チャンネルを変更することを特徴とする請求項１から１１までのいずれか１項に記載の視聴履歴蓄積装置。
【請求項１３】
前記制御部は、前記不揮発メモリに蓄積された視聴履歴情報を読み出し、又は、前記不揮発メモリに最新の視聴履歴情報を書き込む際に、視聴履歴情報の最終更新日時を判断し、当該最終更新日時から一週間を超えた期間が経過している場合には、視聴履歴情報を当該経過期間に対応する期間分だけシフトさせることを特徴とする請求項１から１２までのいずれか１項に記載の視聴履歴蓄積装置。
【請求項１４】
前記制御部は、ユーザーにより所定の操作が行われた場合、又は、前記不揮発メモリに蓄積された視聴履歴情報の破損が確認された場合に、蓄積された視聴履歴情報を削除することを特徴とする請求項１から１３までのいずれか１項に記載の視聴履歴蓄積装置。
【請求項１５】
前記制御部は、ユーザーにより所定の操作が行われた場合、又は、前記不揮発メモリに蓄積された視聴履歴情報の破損が確認された場合に、蓄積された視聴履歴情報に加えて、前記チャンネルリストを削除することを特徴とする請求項１４に記載の視聴履歴蓄積装置。
【請求項１６】
前記時刻情報は、前記チャンネル切替時における日付、曜日又は時間を含むことを特徴とする請求項１から１５までのいずれか１項に記載の視聴履歴蓄積装置。
【請求項１７】
前記制御部は、各時間枠において、ユーザーが同一チャンネルを視聴した時間が所定の時間を超えた場合にのみ、視聴時間として加算することを特徴とする請求項１から１６までのいずれか１項に記載の視聴履歴蓄積装置。
【請求項１８】
請求項１から１７までのいずれか１項に記載の視聴履歴蓄積装置を備えたことを特徴とするデジタル放送受信装置。
【請求項１９】
請求項１から１７までのいずれか１項に記載の視聴履歴蓄積装置と、
放送予定の番組の番組開始時刻及び番組放送時間を算出可能とする番組時間情報と前記放送予定の番組のチャンネル情報とを含む放送予定番組情報を取得する番組情報取得部と、
前記放送予定番組情報に含まれる前記番組時間情報及び前記チャンネル情報と前記不揮発メモリに記憶された前記視聴チャンネル及び前記視聴時間との比較結果に基づいて、前記放送予定の番組からユーザーの好みの番組を判定する検索部と
を有することを特徴とする推奨番組検索装置。
【請求項２０】
請求項１から１７までのいずれか１項に記載の視聴履歴蓄積装置と、
前記視聴履歴蓄積装置に記録された視聴履歴情報から時間枠毎にサービス別の視聴時間を計算し、計算された前記サービス別の視聴時間に基づいてユーザーの好みのサービスを判定する検索部と
を有することを特徴とする推奨番組検索装置。
【請求項２１】
前記検索部は、視聴履歴情報の取得時期が現在に近いほど大きい重み係数を、前記視聴履歴蓄積装置に記録された前記サービス別の視聴時間に乗算し、この乗算によって算出された、重み付けされた視聴時間の合計値が、所定の閾値以上である場合のサービスを好みのサービスと判定することを特徴とする請求項２０に記載の推奨番組検索装置。
【請求項２２】
前記検索部は、検索したい曜日の検索したい時間枠における前記サービス別の視聴時間を、複数週について合計した合計値が所定の閾値以上である場合のサービスを好みのサービスと判定することを特徴とする請求項２０又は２１に記載の推奨番組検索装置。
【請求項２３】
前記検索部は、検索したい曜日の検索したい時間枠における前記サービス別の視聴時間に、視聴履歴情報の取得時期が現在に近いほど大きい重み係数を乗算し、この乗算によって算出された、重み付けされた視聴時間の合計値が、所定の閾値以上である場合のサービスを好みのサービスと判定することを特徴とする請求項２０に記載の推奨番組検索装置。
【請求項２４】
前記検索部は、前記視聴履歴蓄積装置に記録された視聴履歴情報から時間枠毎に番組情報別の視聴時間を計算し、計算された前記番組情報別の視聴時間に基づいてユーザーの好みの番組情報を判定し、前記好みのサービスと判定されたサービスの中から、前記好みの番組情報を持つ番組を含むサービスを、最終的な好みのサービスと判定することを特徴とする請求項２０から２３までのいずれか１項に記載の推奨番組検索装置。
【請求項２５】
前記検索部は、検索したい曜日の検索したい時間枠における前記番組情報別の視聴時間を、複数週について合計した合計値が所定の閾値以上である場合の番組情報を好みの番組情報と判定することを特徴とする請求項２４に記載の推奨番組検索装置。
【請求項２６】
前記検索部は、検索したい曜日の検索したい時間枠における前記番組情報別の視聴時間に、視聴履歴情報の取得時期が現在に近いほど大きい重み係数を乗算し、この乗算によって算出された、重み付けされた視聴時間の合計値が、所定の閾値以上である場合の番組情報を好みの番組情報と判定することを特徴とする請求項２４に記載の推奨番組検索装置。
【請求項２７】
前記番組情報として番組のジャンル情報を使用することを特徴とする請求項２４から２６までのいずれか１項に記載の推奨番組検索装置。
【手続補正２】
【補正対象書類名】明細書
【補正対象項目名】０００９
【補正方法】変更
【補正の内容】
【０００９】
本発明に係る視聴履歴蓄積装置は、デジタル放送波を受信して映像信号及び音声信号に変換するデジタル放送受信ユニットと、デジタル放送の受信チャンネルの切替のために操作される操作部と、前記チャンネル切替時の時刻情報を取得する時刻情報取得手段と、視聴履歴を一時蓄積する一時蓄積メモリと、視聴履歴を恒久的に保持可能な不揮発メモリと、前記一時蓄積メモリを用いて、一定の時間で区切られた時間枠毎に視聴履歴を管理し、さらに、前記不揮発メモリに、前記時間枠内においてユーザーが視聴したチャンネルと、当該チャンネルの視聴時間の当該時間枠内における累積とを含む視聴履歴情報を蓄積する制御を行う制御部とを備え、前記制御部が各曜日の各時間枠について、ユーザーが視聴したチャンネルと、当該チャンネルの視聴時間の当該時間枠内における累積とを含む視聴履歴情報を、複数週分に亘って蓄積し、前記前記一時蓄積メモリ及び前記不揮発メモリの少なくとも何れか一方は、サービスを識別するためのサービスＩＤ、国を識別するためのオリジナルネットワークＩＤ、ストリームを識別するためのトランスポートストリームＩＤ、受信周波数を識別するための物理チャンネル、並びに、前記サービスＩＤ、前記オリジナルネットワークＩＤ、前記トランスポートストリームＩＤ、及び前記物理チャンネルに対応付けられた論理チャンネルを含むチャンネルリストを記憶することを特徴とする視聴履歴蓄積装置。